【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
メモリからの命令を実行するための少なくとも１つのプロセッサを含むコンピューティングデバイスによって行なわれる、コンピュータで実行される方法であって、
測定メーターデータをプロセッサを介して読み出すことを含み、前記測定メーターデータは、前記測定メーターデータの有効な使用量データと無効な使用量データとを特定するために、ユーティリティシステムの区域内の複数のメーターから収集され確認プロセスで処理されたユーティリティ使用量データを示し、前記方法はさらに、
前記プロセッサを介して前記測定メーターデータに対して推定プロセスを行なって、前記有効な使用量データと前記測定メーターデータ内の前記無効な使用量データに置き換わる推定使用量データとを含む修正メーターデータを生成することを含み、前記推定使用量データは、前記有効な使用量データの少なくとも一部から少なくとも部分的に導出され、前記方法はさらに、
ある期間にわたって前記区域内の前記複数のメーターについて前記プロセッサを介して前記修正メーターデータを集約して、前記期間に受信されたデータの全割合を指定する集約割合の値を生成することと、
前記プロセッサが前記集約割合の値を閾値と比較することによって、ユーティリティの供給停止が前記区域内で発生した時を検出することと、
前記集約割合の値が前記閾値を下回ると、前記区域内のユーティリティの供給停止の検出を知らせるための制御信号を生成し、前記プロセッサが、前記制御信号に応じて前記区域内の前記複数のメーターについて前記測定メーターデータに対する前記推定プロセスを抑制することとを含む、方法。
【請求項２】
前記推定プロセスが抑制されている間は、前記プロセッサを介して前記修正メーターデータをゼロ値データと置き換えることをさらに含む、請求項１に記載の方法。
【請求項３】
前記推定プロセスが抑制されていない間は、前記プロセッサを介して前記修正メーターデータを請求処理システムに伝送することをさらに含む、請求項１または２に記載の方法。
【請求項４】
前記抑制の後で、
（ｉ）前記プロセッサを介して、前記複数のメーターのうちの少なくとも１つのメーターについて有効な測定メーターデータを受信すること、または、
（ｉｉ）前記プロセッサを介して、前記複数のメーターのうちの少なくとも１つのメーターについて、前記少なくとも１つのメーターが起動されることを示すメッセージを受信することと、
前記プロセッサを介して、前記受信に応じて前記少なくとも１つのメーターについて前記推定プロセスを再開することとをさらに含む、請求項１〜３のいずれか１項に記載の方法。
【請求項５】
前記抑制の後で、前記集約割合の値が戻って前記閾値を超えたと前記プロセッサを介して判断することと、
前記判断に応じて前記複数のメーターについて、前記プロセッサを介して前記推定プロセスを再開することとをさらに含む、請求項１〜３のいずれか１項に記載の方法。
【請求項６】
前記測定メーターデータは、前記複数のメーターに対応する間隔消費データまたはレジスタ（スカラ）消費データのうちの少なくとも一方を含む、請求項１〜５のいずれか１項に記載の方法。
【請求項７】
前記閾値のユーザ設定を容易にする、または前記推定プロセスの前記抑制のユーザオーバーライドを容易にするグラフィカルユーザインターフェースを前記プロセッサを介して提供することをさらに含む、請求項１〜６のいずれか１項に記載の方法。
【請求項８】
前記区域は郵便番号に対応する、請求項１に記載の方法。
【請求項９】
コンピューティングシステムであって、
プロセッサと、
命令を含むコンピュータ可読媒体に格納された推定モジュールとを備え、前記命令は、実行されると前記プロセッサに、
ユーティリティシステムの区域内の複数のメーターから収集され確認プロセスシステムを通じて処理されたユーティリティ使用量データを示す測定メーターデータを読み出して、前記測定メーターデータの有効な使用量データと無効な使用量データとを特定することと、
前記測定メーターデータに対して推定プロセスを行なって、前記有効な使用量データと前記測定メーターデータ内の前記無効な使用量データに置き換わる推定使用量データとを含む修正メーターデータを生成することとを行なわせ、前記推定使用量データは、前記有効な使用量データの少なくとも一部から少なくとも部分的に導出され、前記コンピューティングシステムはさらに、
命令を含む前記コンピュータ可読媒体に格納された集約モジュールを備え、前記命令は、実行されると前記プロセッサに、ある期間にわたって前記区域内の前記複数のメーターについて前記修正メーターデータの読出しおよび集約を行なって、前記期間に受信されたデータの全割合を指定する集約割合の値を生成させ、前記コンピューティングシステムはさらに、
命令を含む前記コンピュータ可読媒体に格納された比較モジュールを備え、前記命令は、実行されると前記プロセッサに、前記集約割合の値を読出しこれを閾値と比較することによってユーティリティの供給停止が発生した時を検出させ、前記コンピューティングシステムはさらに、
命令を含む前記コンピュータ可読媒体に格納された抑制モジュールを備え、前記命令は、実行されると前記プロセッサに、前記集約割合の値が前記閾値を下回ると、前記区域内におけるユーティリティの供給停止の検出を知らせるための制御信号を生成し、前記制御信号を介して、前記区域内の前記複数のメーターについて前記測定メーターデータに対する前記推定プロセスを抑制させる、コンピューティングシステム。
【請求項１０】
前記コンピュータ可読媒体に格納された前記推定モジュールは、実行されると前記プロセッサに、前記推定プロセスが抑制されていない間は前記修正メーターデータを請求処理システムに伝送させる命令を含む、請求項９に記載のコンピューティングシステム。
【請求項１１】
命令を含む前記コンピュータ可読媒体に格納されたビジュアルユーザインターフェースモジュールをさらに備え、前記命令は、実行されると前記プロセッサに、前記閾値のユーザ設定および前記制御信号のユーザオーバーライドを容易にするグラフィカルユーザインターフェースを提供して前記推定モジュールに前記推定プロセスを再開させる、請求項９または１０に記載のコンピューティングシステム。
【請求項１２】
少なくとも前記ビジュアルユーザインターフェースモジュールによって提供される前記グラフィカルユーザインターフェースとのユーザインタラクションを表示し、これを容易にするように構成されたディスプレイスクリーンをさらに備える、請求項１１に記載のコンピューティングシステム。
【請求項１３】
前記コンピュータ可読媒体に格納される前記推定モジュールは命令を含み、前記命令は、実行されると前記プロセッサに、前記推定プロセスが抑制されている間は前記修正メーターデータをゼロ値データと置き換えさせる、請求項９〜１１のいずれか１項に記載のコンピューティングシステム。
【請求項１４】
前記ゼロ値データを格納するように構成されたデータベースデバイスをさらに備える、請求項１３に記載のコンピューティングシステム。
【請求項１５】
前記コンピュータ可読媒体に格納された前記推定モジュールは命令を含み、前記命令は、実行されると前記プロセッサに、
前記確認プロセスシステムから受信された新たな確認使用量データに基づいて、前記複数のメーターのうちの１つのメーターについて前記推定プロセスが再開すると決定させ、
前記データべースデバイスから前記メーターについて前記ゼロ値データにアクセスさせ、
前記推定プロセスを再開して、前記新たな確認使用量データに少なくとも基づいて、前記メーターについての前記ゼロ値データの時間間隔に対応する新たな推定使用量データを生成させ、
前記メーターについての前記ゼロ値データを、前記メーターについての前記ゼロ値データの前記時間間隔に対応する前記新たな推定使用量データで置き換えさせ、
前記新たな推定使用量データを請求処理システムに伝送させる、請求項１４に記載のコンピューティングシステム。